(57)【要約】【課題】無線検針システムのメータボックス内に設置され、積算された積算メータの値をデータ収集用装置に無線により送信する無線送受信器の設置位置を適切な位置にする。【解決手段】メータボックス内で、アンテナを内蔵する無線送受信器がメータボックスの蓋との距離が無線有受信上で適切な位置になるように、メータボックスの蓋の外周部分を支持するために設けられた縁に載置される桟に吊り下げられた支持台をメータボックス内に挿入する。支持台に無線送受信器を係止あるいは固定して蓋との距離を無線強度が適切になる位置になるようにする。金属板などをプレス加工したり、プラスチックを射出成形することにより、前記桟と前記支持台とを組み合わせた支持器具に相応する支持板を制作することもできる。【選択図】図１
2008226001.tif 000002
【特許請求の範囲】
【請求項１】
無線検針を行うための無線送受信器を備えたメータボックスにおいて、
前記無線送受信器を設置するための支持台が設けられ、
この支持台は、自メータボックスの蓋の外周部分を支持するために設けられた縁に載置される桟に吊り下げられ、
前記桟が前記縁に載置された状態で前記支持台と自メータボックスの蓋との距離が所定の距離となる
ことを特徴とするメータボックス。
【請求項２】
無線検針を行うための無線送受信器を備えたメータボックスに設けられ、
このメータボックスの蓋の外周部分を支持するために設けられた縁に載置される桟と、
この桟が前記縁に載置された状態で前記メータボックスの蓋との距離が所定の距離となる前記無線送受信器の支持台と
を備えた
無線送受信器の支持器具。
【請求項３】
前記縁には、前記蓋を開閉する器具を挿入する挿入口が設けられ、
前記桟は、前記蓋が閉じられた状態で前記挿入口の位置を回避する位置に設けられた
請求項２記載の支持器具。
【請求項４】
無線検針を行うための無線送受信器を備えたメータボックスにおいて、
前記無線送受信器を設置するための支持板が設けられ、
この支持板は、
自メータボックスの蓋の外周部分を支持するために設けられた縁に載置される腕部と、
前記無線送受信器が載置される凹部と
を備え、
前記腕部が前記縁に載置された状態で前記凹部と自メータボックスの蓋との距離が所定の距離となる
ことを特徴とするメータボックス。
【請求項５】
無線検針を行うための無線送受信器を備えたメータボックスに設けられ、
このメータボックスの蓋の外周部分を支持するために設けられた縁に載置される腕部と、
この腕部が前記縁に載置された状態で前記メータボックスの蓋との距離が所定の距離となる凹部と
を備えた
無線送受信器の支持板。
【請求項６】
前記縁には、前記蓋を開閉する器具を挿入する挿入口が設けられ、
前記腕部は、前記蓋が閉じられた状態で前記挿入口を回避する位置に切欠部が設けられた
請求項５記載の支持器具。
【発明の詳細な説明】
【技術分野】
【０００１】
本発明は、ガス、水道、電力等の使用量を示す積算メータの値を無線通信を用いて検針するようにした無線検針システムに利用する。本発明は、無線検針システムに用いるメータボックス内に設置される無線装置を支持する装置に関する。
【背景技術】
【０００２】
ガス、水道、電力等の使用量を示す各種メータの検針を行う業務は、旧来は目視による手法であったが、無線通信機器を用いた無線検針システムが開発されてきた。この無線検針システムは、メータボックス側に電池を内蔵した無線送受信器を設置し、この無線送受信器が積算メータの値を取り込み、検針員が持つハンディターミナルからの検針指示により、無線によって積算データをハンディターミナルに送信することによって遠隔で無線検針を可能とするものである。これにより、積雪などがある場合でも遠隔で検針が可能であり、検針業務を省力化することができる。
【０００３】
このような無線検針システムについては、以下のような発明が提案されている。
【０００４】
【特許文献１】特開平１１−１７７５６４号公報
【特許文献２】特開２００６−１９５９６２号公報
【発明の開示】
【発明が解決しようとする課題】
【０００５】
メータボックスは、種々の環境に置かれる。例えば、寒冷地に設置される水道メータであれば、そのメータボックスは、鉄の鋳物でできた頑丈なものが使われる場合が多く、凍結を防止するため、地中の深い位置にまで積算メータ（配水管に取り付けるメータ）が置かれる。そして、検針の際には、鉄の鋳物でできた蓋をしたまま検針を行い、そのボックスと蓋との隙間を通して無線の送受信を行う。したがって、無線送受信器がメータボックスの深い位置にあると、電波が弱くなり検針に不都合が生じる。
【０００６】
また、メータボックスは地中に置かれるため、水没するおそれがあり、ゴミがたまり、さらに、寒冷地では水道管の凍結を防止するため、保温材料をメータボックス内に入れることがある。
【０００７】
このような場合に、無線送受信器自体は、電池、無線回路、アンテナ等が全てその筐体内に密封されており、筐体内が水没したり、ゴミが侵入したりする心配は無いが、無線送受信器の取付位置が適切できない場合には、メータボックス内に溜まった水やゴミあるいは保温材料等によって無線送受信器が覆われるなどの原因により無線送受信器の電波が弱くなってしまうことは起こり得る。
【０００８】
本発明は、このような背景の下に行われたものであって、メータボックス内の適切な位置に無線送受信器を設置することができる支持台を提供することを目的とする。
【課題を解決するための手段】
【０００９】
本発明は、無線検針を行うための無線送受信器を備えたメータボックスであって、本発明の特徴とするところは、前記無線送受信器を設置するための支持台が設けられ、この支持台は、自メータボックスの蓋の外周部分を支持するために設けられた縁に載置される桟に吊り下げられ、前記桟が前記縁に載置された状態で前記支持台と自メータボックスの蓋との距離が所定の距離となるところにある。
【００１０】
このように、メータボックス内に、宙吊りの支持器具を設けることより、無線送受信器をメータボックス内の適切な位置に取り付けることができる。これにより、無線送受信器をメータボックスの蓋の直下に設置することができるようになると共に、メータボックス内に水が侵入したり、ゴミが入った場合でも無線送受信器の取付位置が水没したり、ゴミに埋まることを回避することができる。
【００１１】
さらに、支持器具が宙吊りであることからメータボックス内には空間を設けることができ、その空間に積算メータを収容することができる。また、メータボックス内の空間には十分な余裕があり、積算メータに保温材料を被せた場合でもこれを支障なく収容することができる。
【００１２】
また、本発明を無線送受信器の支持器具の観点から観ることもできる。すなわち、本発明は、無線検針を行うための無線送受信器を備えたメータボックスに設けられ、このメータボックスの蓋の外周部分を支持するために設けられた縁に載置される桟と、この桟が前記縁に載置された状態で前記メータボックスの蓋との距離が所定の距離となる前記無線送受信器の支持台とを備えた無線送受信器の支持器具である。
【００１３】
また、前記縁には、前記蓋を開閉する器具を挿入する挿入口が設けられているような場合には、前記桟は、前記蓋が閉じられた状態で前記挿入口の位置を回避する位置に設けることができるため、蓋を開閉する器具の使用を妨げることがない。
【００１４】
このような桟を用いた支持器具を制作するためには、例えば、金属製の線材を折り曲げたり、溶接したりして制作することになる。このような線材は安価であり入手も容易であり加工も容易である。さらに、線材と線材との間には大きな隙間があり、例えば、保温材料などをこの隙間からメータボックス内に挿入するときに有用である。
【００１５】
一方、金属板などをプレス加工したり、プラスチックを射出成形することにより、上記の支持器具に相応する支持板を制作することもできる。プレス加工や射出成形を行うためには、高価な金型を用意する必要があるが大量生産に適する。
【００１６】
本発明は、このような支持板を備えたメータボックスであってもよい。すなわち、本発明は、無線検針を行うための無線送受信器を備えたメータボックスであって、本発明の特徴とするところは、前記無線送受信器を設置するための支持板が設けられ、この支持板は、自メータボックスの蓋の外周部分を支持するために設けられた縁に載置される腕部と、前記無線送受信器が載置される凹部とを備え、前記腕部が前記縁に載置された状態で前記凹部と自メータボックスの蓋との距離が所定の距離となるところにある。
【００１７】
また、本発明を無線送受信器の支持板の観点から観ることもできる。すなわち、本発明は、無線検針を行うための無線送受信器を備えたメータボックスに設けられ、このメータボックスの蓋の外周部分を支持するために設けられた縁に載置される腕部と、この腕部が前記縁に載置された状態で前記メータボックスの蓋との距離が所定の距離となる凹部とを備えた支持板である。
【００１８】
また、前記縁には、蓋を開閉する器具を挿入する挿入口が設けられているような場合には、前記縁には、前記蓋を開閉する器具を挿入する挿入口が設けられ、前記腕部は、前記蓋が閉じられた状態で前記挿入口を回避する位置に挿入口が設けることができる。
【発明の効果】
【００１９】
本発明によれば、メータボックス内の適切な位置に無線送受信器を設置することができ、検針作業が可能な程度の無線強度を確保することができるので、検針作業に支障をきたすことがない。
【発明を実施するための最良の形態】
【００２０】
（第一実施例）
本発明の第一実施例のメータボックスおよび支持器具を図１ないし図５を参照して説明する。図１および図２は本実施例のメータボックスをそれぞれ異なる側面から観た図である。
【００２１】
本実施例のメータボックス６は、図１および図２に示すように、無線検針を行うための無線送受信器３を備える。無線送受信器３は、電池、無線回路、アンテナ等が筐体に密封されており、積算メータ４の積算情報が信号線５を介して転送される。さらに、ハンディターミナル１０からの指示により積算情報をハンディターミナル１０に送信する。
【００２２】
無線送受信器３とハンディターミナル１０とが無線信号を良好に送受信するためには、無線送受信器３の取付位置は、なるべく蓋７に近い位置が望ましい。また、メータボックス６の本来の目的は、積算メータ４や水道管８を収容するところにあり、無線送受信器３の存在により、これらの収容が妨げられることがあってはならず、十分な収容空間を確保することが必要である。
【００２３】
このような要求を満足させるために、本実施例のメータボックス６では、無線送受信器３を設置するための支持台２が設けられ、この支持台２は、自メータボックス６の蓋７の外周部分を支持するために設けられた縁９に載置される桟１に吊り下げられ、桟１が縁９に載置された状態で支持台２と自メータボックス６の蓋７との距離が所定の距離となる。
【００２４】
また、図３はメータボックス６を上面から観た図であるが、図３に示すように、縁９には、蓋７を開閉する器具を挿入する挿入口１１が設けられ、桟１は、蓋７が閉じられた状態で挿入口１１の位置を回避する位置に設けられる。
【００２５】
桟１と支持台２とからなる支持器具の構成を図４および図５に示す。図４は支持器具を側面から観た図であり、図５は支持器具を上面から観た図である。図４および図５に示すように、桟１により支持台２がメータボックス６内に宙吊りとなるため、積算メータ４および水道管８の収容を妨げることなく支持器具を設置することができる利便性を有する。また、寒冷地などでメータボックス６内に保温材料を入れる場合も十分な空間を確保することができる。
【００２６】
本実施例の桟１を用いた支持器具を制作するためには、例えば、金属製の線材を折り曲げたり、溶接したりして制作することになる。このような線材は安価であり入手も容易であり加工も容易である。さらに、線材と線材との間には大きな隙間があり、例えば、保温材料などをこの隙間からメータボックス６内に挿入するときに有用である。
【００２７】
（第二実施例）
本発明の第二実施例のメータボックスおよび支持板を図６ないし図１１を参照して説明する。図６および図７は本実施例のメータボックスをそれぞれ異なる側面から観た図である。
【００２８】
本実施例のメータボックス６は、図６および図７に示すように、無線送受信器３を設置するための支持板が設けられ、この支持板は、自メータボックス６の蓋７の外周部分を支持するために設けられた縁９に載置される腕部１２と、無線送受信器３が載置される凹部１３とを備え、腕部１２が縁９に載置された状態で凹部１３と自メータボックス６の蓋７との距離が所定の距離となる。
【００２９】
また、図８はメータボックス６を上面から観た図であるが、図８に示すように、縁９には、蓋７を開閉する器具を挿入する挿入口１１が設けられ、腕部１２は、蓋７が閉じられた状態で挿入口１１の位置を回避する切欠部１４を備える。
【００３０】
腕１２と凹部１３と切欠部１４とからなる支持板の構成を図９ないし図１１に示す。図９は支持板の斜視図であり、図１０は支持板を側面から観た図であり、図１１は支持板を上面から観た図である。図９〜図１１に示すように、凹部１３が腕部１２に支えられてメータボックス６内に宙吊りとなるため、積算メータ４および水道管８の収容を妨げることなく支持器具を設置することができる利便性を有する。また、寒冷地などでメータボックス６内に保温材料を入れる場合も十分な空間を確保することができる。
【００３１】
なお、図示は省略するが、無線送受信器３と積算メータ４とを接続する信号線５を通すための孔または切欠きを凹部１３または腕部１２に適宜設ける。あるいは、挿入口１１の反対側に設けられた切欠部１４を利用して信号線５を通してもよい。さらに、腕部１２に、積算メータ４を目視確認するための孔または切欠きを設けることも有用である。
【００３２】
本実施例の支持板は、金属板などをプレス加工したり、プラスチックを射出成形することにより制作することができる。プレス加工や射出成形を行うためには、高価な金型を用意する必要があるが大量生産に適する。
【００３３】
なお、第一および第二実施例では、水道用のメータボックスを例に挙げて説明したが、電気やガスなどのメータボックスにも適用することができる。
【産業上の利用可能性】
【００３４】
本発明によれば、メータボックス内の適切な位置に無線送受信器を設置することができるため、無線検針の普及に有効に利用することができる。
【図面の簡単な説明】
【００３５】
【図１】第一実施例のメータボックスを側面から観た図（長手方向）。
【図２】第一実施例のメータボックスを側面から観た図。
【図３】第一実施例のメータボックスを上面から観た図。
【図４】支持器具を側面から観た図。
【図５】支持器具を上面から観た図。
【図６】第二実施例のメータボックスを側面から観た図（長手方向）。
【図７】第二実施例のメータボックスを側面から観た図。
【図８】第二実施例のメータボックスを上面から観た図。
【図９】支持板の斜視図。
【図１０】支持板を側面から観た図。
【図１１】支持板を上面から観た図。
【符号の説明】
【００３６】
１  桟
２  支持台
３  無線送受信器
４  積算メータ
５  信号線
６  メータボックス
７  蓋
８  水道管
９  縁
１０  ハンディターミナル
１１  挿入口
１２  腕部
１３  凹部
１４  切欠部
【図１】
2008226001.tif 000003
【図２】
2008226001.tif 000004
【図３】
2008226001.tif 000005
【図４】
2008226001.tif 000006
【図５】
2008226001.tif 000007
【図６】
2008226001.tif 000008
【図７】
2008226001.tif 000009
【図８】
2008226001.tif 000010
【図９】
2008226001.tif 000011
【図１０】
2008226001.tif 000012
【図１１】
2008226001.tif 000013